(57)【特許請求の範囲】
【請求項１】
スピーカが内蔵される音響装置であって，
当該音響装置の内部で前記スピーカを保持するスピーカ保持手段と，
前記スピーカ保持手段により保持された前記スピーカの周囲の枠部に設けられ，該スピーカの音響出力領域の周囲を囲うとともに該スピーカの前後方向に沿って壁面が形成された一連の壁であるスピーカ側の壁と，
前記スピーカ保持手段により保持された前記スピーカの前方から取り付けられて当該音響装置の外装を形成する部材であり，前記スピーカの音響出力領域に対応する部分に開口部が形成された外装カバー部材と，
前記外装カバー部材における当該音響装置の内部側に隆起して設けられ，前記開口部の周囲を囲う一連の壁であるカバー側の壁と，を具備し，
前記外装カバー部材が取り付けられた状態で，前記カバー側の壁と前記スピーカの周囲の枠部とが離間し，前記スピーカ側の壁の壁面と前記カバー側の壁の壁面とが隙間を空けて対向してなることを特徴とする音響装置。
【請求項２】
前記外装カバー部材が取り付けられた状態において，前記スピーカ側の壁の壁面と前記カバー側の壁の壁面との隙間の間隔が，前記カバー側の壁の頭頂部から前記スピーカの周囲の枠部までの該スピーカの前後方向における間隔よりも小さく形成されてなる請求項１に記載の音響装置。
【請求項３】
前記カバー側の壁が前記外装カバー部材における前記開口部の縁に沿って形成され，
前記外装カバー部材が取り付けられた状態で，前記スピーカ側の壁の外側の壁面と前記カバー側の壁の内側の壁面とが隙間を空けて対向してなる請求項１又は２のいずれかに記載の音響装置。
【請求項４】
前記スピーカ側の壁及び前記カバー側の壁の一方又は両方が複数設けられ，
前記外装カバー部材が取り付けられた状態で，前記スピーカ側の壁の壁面と前記カバー側の壁の壁面とが隙間を空けて対向する箇所が複数形成されてなる請求項１〜３のいずれかに記載の音響装置。
【請求項５】
前記スピーカ保持手段が，当該音響装置が備える複数種類のスピーカのうち低音域の音響出力用の前記スピーカを当該音響装置の背面側に向けて保持し，
前記外装カバー部材が，当該音響装置の背面の外装を形成する部材である請求項１〜４のいずれかに記載の音響装置。
【発明の詳細な説明】
【技術分野】
【０００１】
本発明は，スピーカが内蔵される音響装置に関するものである。
【背景技術】
【０００２】
音響装置の一例であるテレビジョン受像機は，一般に，装置本体にスピーカが内蔵される場合が多い。
従来，テレビジョン受像機等の音響装置においては，十分な音質を確保するため，スピーカ及びそのスピーカの背面側を覆う容器が一体となったスピーカーボックスが装置内に取り付けられることが多かった。
図８は，スピーカボックスが内蔵された従来のテレビジョン受像機の一部の概略断面図である。
図８に示されるスピーカ１は，低音出力用のウーハーであり，そのスピーカ１の背面側を覆う容器が一体となったスピーカーボックス１０が，テレビジョン受像機に内蔵されている。また，図８に示されるスピーカボックス１０は，テレビジョン受像機の前面パネル等の筐体３に対し，スピーカ１がテレビジョン受像機の背面側を向くように取り付けられている。そして，テレビジョン受像機の背面の外装カバー２が，スピーカ１の前方から取り付けられる。外装カバー２には，スピーカ１の音響出力領域（コーンが占める領域）に対応する部分に開口部２ａが形成されている。また，前記外装カバー２は，前記筐体３に対して前記スピーカボックス１０が取り付けられた後に，スピーカ１の前方（テレビジョン受像機の背面側）取り付けられる。
通常，スピーカは，テレビジョン受像機の前面側に向けて配置されるが，低音出力用のスピーカ１（ウーハー）は，背面側に向けて配置されることも多い。低音域の音響は，装置の背面側に向けて出力されても，その大部分が前面側へ回り込むために十分な音質を確保できるからである。さらに，ウーハーは，一般にその直径が大きく，その前方に設けられる開口の占有面積が広い。そのため，ウーハーを背面側に向けての配置することは，配置スペースの確保及びデザイン性の面で都合が良いからである。
【０００３】
ところで，液晶テレビに代表される薄型のテレビジョン受像機は，デザイン性の向上や，壁掛けや天井吊り等の多様な設置態様への利便性向上のため，その厚み（奥行き寸法）を薄くすることへの要望がさらに高まっている。そのため，テレビジョン受像機等の音響装置の厚みを薄くするためには，スピーカ及びその取り付け機構の薄型化も必要になる。
しかしながら，図８に示されるようなスピーカボックス１０が内蔵されるテレビジョン受像機は，スピーカボックス１０の筐体やその筐体へのスピーカ１の保持機構等の設置スペースが薄型化の制約となる。
装置の薄型化のためには，スピーカボックス構造が採用されない音響装置であることが望ましい。図９は，スピーカボックス構造が採用されない従来のテレビジョン受像機の一部の概略断面図である。
図９に示されるテレビジョン受像機は，スピーカ１が，テレビジョン受像機内の筐体３に設けられたスピーカ支持部４に，ゴム等の防振材（不図示）を介して直接的に取り付けられた構造を有している。なお，図９に示されるスピーカ１も，テレビジョン受像機の背面側に向けて配置され，背面側の外装カバー２が，スピーカ１の前方から取り付けられる。
図８に示される構造によれば，スピーカボックスタイプ（図８参照）よりも音響装置の厚みをより薄くできる。
また，特許文献１には，スピーカとそれを保持する筐体との接触によっていわゆるビビリ音が発生することを防止するため，スピーカが，弾性体のパッキン（防振材）を介して筐体に取り付けられる構造について示されている。なお，ビビリ音は，スピーカの振動がそのスピーカと接触する筐体にそのまま伝わることにより，その筐体が共振して発する雑音である。
【特許文献１】特開平７−１０７５８３号公報
【発明の開示】
【発明が解決しようとする課題】
【０００４】
しかしながら，図９に示されるように，スピーカの背面側を密閉するスピーカボックスが設けられない音響装置は，各種の問題点を有している。以下，その問題点について説明する。
音響装置の外装カバー（特に，背面の外装カバー）は，スピーカその他の装置内の部品が取り付けられた後に，本体側に対する係合機構やビス止め等により取り付けられる。
そして，前記外装カバーは，取り付けられる際，その取付方向（図９に示す例ではスピーカ１の前後方向）に直交する方向については比較的高い精度での位置決めが可能である。
一方，前記外装カバーは，その撓み等に起因して，その取付方向については高い精度での位置決めが難しい。そのため，音響装置内の部品と前記外装カバーとの接触を避けたい場合，装置内の部品と前記外装カバーとの間隔を十分に空けておく必要がある。
従って，図９に示されるような音響装置では，スピーカ１と外装パネル２との間に比較的広い隙間が生じる。その結果，回り込み音による出力音響の減衰が生じるという問題点があった。回り込み音による出力音響の減衰とは，スピーカの前方に放出された出力音響が，スピーカの後方に放出されて前方に回りこんだ逆位相のノイズ音との干渉によって減衰してしまう現象である。
また，図９に示される音響装置において，スピーカ１の周囲のフレームと前記外装パネル２との間に防振材を挟み，それらをビス等により密着させた場合，前記外装パネル２が変形する等の問題点が生じる。
一方，スピーカを防振材を介して外装パネルに取り付けることも考えられる。しかしながら，音響装置の組立工程において，装置内の部品とケーブル接続されるスピーカを外装パネルに取り付ける工程を実現することは非常に困難であるという問題点がある。
従って，本発明は上記事情に鑑みてなされたものであり，その目的とするところは，スピーカボックス構造が採用されなくても，組立の容易性を損なわず，前記ビビリ音の発生防止と前記回り込み音による出力音響の減衰の抑制とを実現でき，装置の薄型化に好適な音響装置を提供することにある。
【課題を解決するための手段】
【０００５】
上記目的を達成するために本発明は，スピーカが内蔵さる音響装置の発明であり，その音響装置は，次の（１）〜（４）に示される各構成要素を備える。
（１）当該音響装置の内部で前記スピーカを保持するスピーカ保持手段。
（２）前記スピーカ保持手段により保持された前記スピーカの周囲の枠部に設けられ，そのスピーカの音響出力領域の周囲を囲うとともにそのスピーカの前後方向に沿って壁面が形成された一連の壁。以下，これをスピーカ側の壁という。
（３）前記スピーカ保持手段により保持された前記スピーカの前方から取り付けられて当該音響装置の外装を形成する部材であり，前記スピーカの音響出力領域に対応する部分に開口部が形成された外装カバー部材。
（４）前記外装カバー部材における当該音響装置の内部側に隆起して設けられ，前記開口部の周囲を囲う一連の壁。以下，これをカバー側の壁という。
そして，前記外装カバー部材が取り付けられた状態で，前記カバー側の壁と前記スピーカの周囲の枠部とが離間し，前記スピーカ側の壁の壁面と前記カバー側の壁の壁面とが隙間を空けて対向している。
より具体的には，前記外装カバー部材が取り付けられた状態において，前記スピーカ側の壁の壁面と前記カバー側の壁の壁面との隙間の間隔が，前記カバー側の壁の頭頂部から前記スピーカの周囲の枠部までのそのスピーカの前後方向における間隔よりも小さく形成されていることが考えられる。
【０００６】
前述したように，前記外装カバー部材は，取り付けられる際，その取付方向（前記スピーカの前後方向）に直交する方向については比較的高い精度での位置決めが可能である。従って，本発明に係る音響装置においては，前記外装カバー部材が取り付けられた状態における前記スピーカ側の壁の壁面と前記カバー側の壁の壁面とがごく狭い間隔で近接する（接触はしない）ように前記外装カバー部材を取り付けることは比較的容易である。
そして，前記スピーカの後方から前方へ回り込むノイズ音（出力音響に対し逆位相の音）は，前記スピーカ側の壁の壁面と前記カバー側の壁の壁面との間のごく狭い隙間を通過しなけらばならない。また，周知の通り，狭い隙間を伝播する音は，その音の周波数にかかわらず，空気の粘性により生じる音響抵抗に応じて減衰する。また，その音響抵抗は，その隙間の幅が狭いほど，また，その隙間の経路長が長いほど大きくなる。
従って，本発明に係る音響装置は，前記スピーカの後方から前方へ回り込むノイズ音を減衰させ，前記回り込み音による出力音響の減衰を抑制することができる。
また，本発明に係る音響装置において，前記スピーカと前記カバー側の壁とが離間しているため，前記カバー側の壁及びそのベース部分となる前記外装カバー部材から前記ビビリ音が発生することがない。
なお，本発明に係る音響装置の厚みは，前記スピーカ側の壁及び前記カバー側の壁が設けられることによる厚みの増分を見込んでもなお，スピーカボックス構造が採用された音響装置の厚みよりも薄くできる。
【０００７】
また，本発明に係る音響装置が，さらに次の（５）及び（６）に示される構成を有することが考えられる。
（５）前記カバー側の壁が前記外装カバー部材における前記開口部の縁に沿って形成されている。
（６）前記外装カバー部材が取り付けられた状態で，前記スピーカ側の壁の外側の壁面と前記カバー側の壁の内側の壁面とが隙間を空けて対向する。
以上の構成を備えた音響装置は，前記外装カバー部材が取り付けられた状態において，前記スピーカ側の壁の外側の壁面と前記カバー側の壁の内側の壁面との間の隙間を視認可能である。そのため，前記スピーカ側の壁と前記カバー側の壁とが接触する状態で前記外装カバー部材が取り付けられてしまうという組み立てミスの検知及び防止が容易となる。
【０００８】
また，前記スピーカ側の壁及び前記カバー側の壁の一方又は両方が複数設けられることも考えられる。その場合，前記外装カバー部材が取り付けられた状態で，前記スピーカ側の壁の壁面と前記カバー側の壁の壁面とが隙間を空けて対向する箇所が複数形成される。
これにより，前記スピーカ側の壁及び前記カバー側の壁の高さ（前記スピーカの前後方向の寸法）が比較的低くても，前記スピーカ側の壁の壁面と前記カバー側の壁の壁面との隙間の総経路長を長くして音響抵抗を高めることができる。その結果，当該音響装置の厚み（前記スピーカの前後方向における寸法）を極力小さく抑えつつ，前記スピーカの後方から前方へ回り込むノイズ音を十分に減衰させることができる。
また，本発明の適用対象の典型例としては，例えば図９に示されたテレビジョン受像機のように，次の（７）及び（８）に示される構成を有する音響装置が考えられる。
（７）前記スピーカ保持手段が，当該音響装置が備える複数種類のスピーカのうち低音域の音響出力用の前記スピーカを当該音響装置の背面側に向けて保持すること。
（８）前記外装カバー部材が，当該音響装置の背面の外装を形成する部材であること。
一般に，装置背面の外装を形成する部材（背面の外装パネル）は，スピーカその他の装置内の部品が取り付けられた後に装置の背面側から取り付けられるからである。
【発明の効果】
【０００９】
以上に示したように，本発明に係る音響装置は，スピーカボックス構造が採用されなくても，組立の容易性を損なわず，前記ビビリ音の発生防止と前記回り込み音による出力音響の減衰の抑制とを実現できる。従って，本発明に係る音響装置の構造は，装置の薄型化に好適である。
【発明を実施するための最良の形態】
【００１０】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の第１実施形態に係る音響装置の一例であるテレビジョン受像機Ｘ１におけるスピーカ部分の側断面図及び背面図，図２は背面外装パネルが取り付けられる前のテレビジョン受像機Ｘ１におけるスピーカ部分の側断面図及びスピーカ正面図，図３はテレビジョン受像機Ｘ１における回り込みノイズ音減衰構造を表す断面図，図４は本発明の第２実施形態に係る音響装置の一例であるテレビジョン受像機Ｘ２における回り込みノイズ音減衰構造を表す断面図，図５は本発明の第３実施形態に係る音響装置の一例であるテレビジョン受像機Ｘ３における回り込みノイズ音減衰構造を表す断面図，図６は本発明の第４実施形態に係る音響装置の一例であるテレビジョン受像機Ｘ４における回り込みノイズ音減衰構造を表す断面図，図７はテレビジョン受像機Ｘ４におけるスピーカ正面図，図８はスピーカボックスが内蔵された従来のテレビジョン受像機の一部の概略断面図，図９はスピーカボックス構造が採用されない従来のテレビジョン受像機の一部の概略断面図である。
【００１１】
［第１実施形態］
まず，図１及び図２を参照しつつ，本発明の第１実施形態に係る音響装置の一例であるテレビジョン受像機Ｘ１のスピーカ周辺の構造について説明する。なお，図１は背面外装パネルが取り付けられたテレビジョン受像機Ｘのスピーカ部分，図２は背面外装パネルが取り付けられる前のテレビジョン受像機Ｘのスピーカ部分を表す。
テレビジョン受像機Ｘ１は，不図示の液晶表示部を備える液晶テレビジョン受像機であり，スピーカ１が内蔵されているが，スピーカボックス構造（スピーカ１の背面側を密閉する構造）は採用されていない。
図１に示されるように，テレビジョン受像機Ｘ１の前面外装パネル３には，前記スピーカ１を支持するスピーカ支持部４が設けられている。
また，前記スピーカ１の周囲には，ビス孔１１ａ等が形成された枠部材１１が設けられている。
前記スピーカ１は，ゴム等の弾性体からなる防振材５を介して，前記スピーカ支持部４に対してビス止めによって直接的に取り付けられている。即ち，ピーカボックス構造は採用されていない。
ここで，前記スピーカ支持部４及び不図示のビスが，前記テレビジョン受像機Ｘ１の内部で前記スピーカ１を前記テレビジョン受像機Ｘ１の背面側に向けて保持する手段の一例である。
また，前記スピーカ１は，前記テレビジョン受像機が備える複数種類のスピーカのうち，他よりも低音域の音響出力用のウーハーである。
【００１２】
また，テレビジョン受像機Ｘ１は，前記スピーカ支持部４への固定により保持された前記スピーカ１の前方（テレビジョン受像機Ｘの背面側）から取り付けられる背面外装パネル２を備えている。この背面外装パネル２は，前記テレビジョン受像機Ｘ１の背面を覆ってその背面側の外装を形成するパネル状の外装カバー部材である。前記背面外装パネル２には，前記スピーカ１の音響出力領域であるコーン部１ａに対応する部分に開口部２ａが形成されている。これにより，前記コーン部１ａの前方が開放され，前記開口部２ａを通じて前記コーン部１ａから出力音響が外部へ放出される。
【００１３】
そして，前記テレビジョン受像機Ｘ１の特徴は，以下に詳説するスピーカ側の壁１２とカバー側の壁２１とが設けられている点である。
前記スピーカ側の壁１２は，前記スピーカ支持部４により保持された前記スピーカ１の周囲の前記枠部材１１に設けられている。また，前記スピーカ側の壁１２は，前記スピーカ１の音響出力領域である前記コーン部１ａの周囲を囲うとともに，前記スピーカ１の前後方向に沿って壁面が形成された一連の筒状の壁である。なお，前記テレビジョン受像機Ｘ１における前記スピーカ側の壁１２は，前記スピーカ１の前方向に隆起している。
一方，前記カバー側の壁２１は，前記背面外装パネル２における当該テレビジョン受像機Ｘ１の内部側に隆起して設けられ，前記開口部２ａの周囲を囲う一連の筒状の壁である。
そして，前記スピーカ側の壁１２と前記カバー側の壁２１とは，前記スピーカ１の後方へ放出されて前方へ回り込むノイズ音を減衰させる構造（以下，回り込みノイズ音減衰構造という）を有している。
【００１４】
続いて，図３に示される断面図を参照しつつ，前記テレビジョン受像機Ｘ１における前記回り込みノイズ音減衰構造について説明する。なお，図３は，前記スピーカ側の壁１２及び前記カバー側の壁２１の断面の一部が拡大された図である。
図３に示されるように，前記カバー側の壁２１は，前記背面外装パネル２における前記開口部２ａの縁に沿って形成されている。
そして，前記背面外装パネル２が取り付けられた状態（以下，背面閉状態という）において，前記カバー側の壁２１と前記スピーカ１における前記枠部材１１とは離間した状態で保持される。図３には，前記カバー側の壁２１の頭頂部から前記スピーカ１の前記枠部材１１までの，前記スピーカ１の前後方向における間隔をＬｂと表記されている。
さらに，前記背面閉状態において，前記スピーカ側の壁１２の外側の壁面と前記カバー側の壁２１の内側の壁面とが，わずかな隙間（その幅Ｌａ）を空けて対向する状態で保持される。
これにより，前記背面閉状態において，前記スピーカ側の壁１２と前記カバー側の壁２１との間に，当該テレビジョン受像機Ｘ１の内外を連通する隙間が形成された状態となる。なお，前記背面外装パネル２には，前記コーン部１ａの前方を解放するための前記開口部２ａ以外に，前記背面閉状態において当該テレビジョン受像機Ｘ１の内外を連通する開口は設けられていない。
【００１５】
前述したように，前記背面外装パネル２は，その撓み等に起因して，その取付方向（即ち，前記スピーカ１の前後方向）については高い精度での位置決めが難しい。また，前記ビビリ音の発生防止のため，前記スピーカ１の前記枠部材１１と前記カバー側の壁２１とは接触させてはいけない。そのため，前記間隔Ｌｂは，例えば２ｍｍ以上程度としておく必要がある。
一方，前述したように，前記背面外装パネル２は，その取付方向（前記スピーカの前後方向）に直交する方向については比較的高い精度での位置決めが可能である。従って，前記背面閉状態における前記スピーカ側の壁１２の壁面と前記カバー側の壁２１の壁面とがごく狭い間隔で近接する（接触はしない）ように前記背面外装パネル２を取り付けることは比較的容易である。例えば，前記隙間の幅Ｌａを１ｍｍ程度にすることができる。
そこで，前記背面閉状態において，前記スピーカ側の壁１２の壁面と前記カバー側の壁２１の壁面との隙間の間隔Ｌａが，前記カバー側の壁２１の頭頂部から前記スピーカ１の周囲の枠部（前記枠部材１１）までの前記スピーカ１の前後方向における間隔Ｌｂよりも小さく形成されるように各部材の寸法が設定されている。
【００１６】
そして，テレビジョン受像機Ｘ１においては，前記スピーカ１の後方から前方へ回り込むノイズ音は，前記スピーカ側の壁１２の壁面と前記カバー側の壁２１の壁面との間のごく狭い隙間（その幅Ｌａ）を通過しなけらばならない。また，周知の通り，狭い隙間を伝播する音は，空気の粘性により生じる音響抵抗に応じて減衰し，その音響抵抗は，その隙間の幅Ｌａが狭いほど，また，その隙間の経路長Ｌｃが長いほど大きくなる。
テレビジョン受像機Ｘ１においては，例えば，前記スピーカ側の壁１２の高さＨ１を５ｍｍ，前記カバー側の壁２１の高さＨ２を３ｍｍとすることにより，２ｍｍの前記間隔Ｌｂを確保しても，３ｍｍの前記隙間の経路長Ｌｃを確保できる。
【００１７】
実験によれば，前記隙間の幅Ｌａが１ｍｍ，前記隙間の経路長Ｌｃが３ｍｍである前記テレビジョン受像機Ｘ１は，それから前記スピーカ側の壁１２及び前記カバー側の壁２１が除去されたテレビジョン受像機に対し，前記スピーカ１の出力音響のレベルが３ｄＢ向上した。
このように，テレビジョン受像機Ｘ１は，前記スピーカ１の後方から前方へ回り込むノイズ音を減衰させ，前記回り込み音による出力音響の減衰を抑制することができる。
また，前記スピーカ１と前記カバー側の壁２１とが離間しているため，前記カバー側の壁２１及びそのベース部分となる前記背面外装パネル２から前記ビビリ音が発生することがない。
また，前記テレビジョン受像機Ｘ１の厚みは，前記スピーカ側の壁１２及び前記カバー側の壁２１が設けられることによる厚みの増分（前述の例では３ｍｍ）を見込んでもなお，スピーカボックス構造が採用された場合の厚みよりも薄くできる。
さらに，前記テレビジョン受像機Ｘ１においては，前記背面閉状態において，前記スピーカ側の壁１２の外側の壁面と前記カバー側の壁２１の内側の壁面との間の隙間を視認可能である（図１のＴＶ背面図参照）。そのため，前記スピーカ側の壁１２と前記カバー側の壁２１とが接触する状態で前記背面外装パネル２が取り付けられてしまうという組み立てミスの検知及び防止が容易となる。
【００１８】
［第２実施形態］
次に，図４に示されるスピーカ部分の断面図を参照しつつ，本発明の第２実施形態に係る音響装置の一例であるテレビジョン受像機Ｘ２について説明する。
前記テレビジョン受像機Ｘ２は，前記スピーカ側の壁１２及び前記カバー側の壁２１の形状及び配置以外については，前記テレビジョン受像機Ｘ１と同じ構造を有している。以下，前記テレビジョン受像機Ｘ２について，前記テレビジョン受像機Ｘ１と異なる部分についてのみ説明する。なお，図４は，前記テレビジョン受像機Ｘ２における前記スピーカ側の壁１２及び前記カバー側の壁２１の断面の一部が拡大された図である。
【００１９】
前記テレビジョン受像機Ｘ１における前記スピーカ側の壁１２は，前記スピーカ１の周囲の前記枠部材１１から前記スピーカ１の前方向に隆起するものであった。
一方，前記テレビジョン受像機Ｘ２においては，図４に示されるように，前記スピーカ１の周囲の前記枠部材１１が，その全周に渡って前記スピーカ１の後方側へ屈曲して形成されている。これにより，前記枠部材１１の一部が，前記コーン部１ａの周囲を囲うとともに前記スピーカ１の前後方向に沿って壁面が形成された一連の壁，即ち，前記スピーカ側の壁１２となっている。なお，前記テレビジョン受像機Ｘ２における前記カバー側の壁２１は，前記テレビジョン受像機Ｘ１のものと同じである。
そして，前記テレビジョン受像機Ｘ２においても，前記背面閉状態において，前記カバー側の壁２１と前記スピーカ１における前記枠部材１１とは離間した状態（間隔Ｌｂ）で保持される。
さらに，前記背面閉状態において，前記スピーカ側の壁１２の外側の壁面と前記カバー側の壁２１の内側の壁面とが，わずかな隙間（その幅Ｌａ）を空けて対向する状態で保持される。
図４に示される構造によっても，前記テレビジョン受像機Ｘ１（図３参照）と同様の作用効果が得られる。
さらに，図４に示される構造によれば，前記スピーカ側の壁１２及び前記カバー側の壁２１が設けられることによる厚みの増分をほとんど無くすことができ，前記テレビジョン受像機Ｘ１の厚みよりも薄くできる。
【００２０】
［第３実施形態］
次に，図５に示されるスピーカ部分の断面図を参照しつつ，本発明の第３実施形態に係る音響装置の一例であるテレビジョン受像機Ｘ３について説明する。
前記テレビジョン受像機Ｘ３も，前記スピーカ側の壁１２及び前記カバー側の壁２１の形状及び配置以外については，前記テレビジョン受像機Ｘ１と同じ構造を有している。以下，前記テレビジョン受像機Ｘ３について，前記テレビジョン受像機Ｘ１と異なる部分についてのみ説明する。なお，図５は，前記テレビジョン受像機Ｘ３における前記スピーカ側の壁１２及び前記カバー側の壁２１の断面の一部が拡大された図である。
【００２１】
前記テレビジョン受像機Ｘ１における前記スピーカ側の壁１２及び前記カバー側２１の壁は，それぞれ１つずつであった。
一方，前記テレビジョン受像機Ｘ３においては，図５に示されるように，前記スピーカ側の壁１２及び前記カバー側の壁２１の両方が複数（図５に示される例では２つずつ）設けられている。なお，各壁１２，２１が２つ以上設けられることも考えられる。
そして，前記テレビジョン受像機Ｘ３においては，前記背面閉状態において，前記スピーカ側の壁１２の壁面と前記カバー側の壁２１の壁面とが隙間を空けて対向する箇所が複数（図５に示される例では３箇所）形成される。
これにより，前記スピーカ側の壁１２及び前記カバー側の壁２１の高さが比較的低くても，前記隙間の経路長Ｌｃの合計を長くして音響抵抗を高めることができる。その結果，装置の厚みを極力小さく抑えつつ，前記スピーカ１の後方から前方へ回り込むノイズ音を十分に減衰させることができる。
また，図５に示される構造から，２つの前記カバー側の壁２１のうちの外側の一方が除去された構造，即ち，２つの前記スピーカ側の壁１２及び１つの前記カバー側の壁２１を有する構造も考えられる。そのような構造によっても，前記背面閉状態において，前記スピーカ側の壁１２の壁面と前記カバー側の壁２１の壁面との隙間が２箇所形成される。
なお，前記テレビジョン受像機Ｘ３においては，装置の外側から見て前記背面外装パネル２により隠される前記スピーカ側の壁１２については，その頭頂部と前記背面外装パネル２との間に前記間隔Ｌｂと同じかそれ以上の間隔Ｌｂ’を設ける必要がある。
【００２２】
［第４実施形態］
次に，図６に示されるスピーカ部分の断面図を参照しつつ，本発明の第４実施形態に係る音響装置の一例であるテレビジョン受像機Ｘ４について説明する。
前記テレビジョン受像機Ｘ４も，前記スピーカ側の壁１２及び前記カバー側の壁２１の形状及び配置以外については，前記テレビジョン受像機Ｘ１と同じ構造を有している。以下，前記テレビジョン受像機Ｘ４について，前記テレビジョン受像機Ｘ１と異なる部分についてのみ説明する。なお，図６は，前記テレビジョン受像機Ｘ４における前記スピーカ側の壁１２及び前記カバー側の壁２１の断面の一部が拡大された図である。
【００２３】
前記テレビジョン受像機Ｘ１は，前記背面閉状態において，前記スピーカ側の壁１２の外側の壁面と前記カバー側の壁２１の内側の壁面とが隙間を空けて対向するものであった。
一方，前記テレビジョン受像機Ｘ４においては，前記スピーカ側の壁１２が前記テレビジョン受像機Ｘ１よりも外側に（筒の直径が大きく）形成され，前記背面閉状態において，前記スピーカ側の壁１２の内側の壁面と前記カバー側の壁２１の外側の壁面とが隙間を空けて対向する状態で保持される。これにより，前記スピーカ側の壁１２と前記カバー側の壁２１との両方が，装置の外側から視認されないよう隠される。図６に示されるような構造は，デザイン上，前記スピーカ側の壁１２を隠したい場合に好適である。
なお，前記テレビジョン受像機Ｘ４においても，前記スピーカ側の壁１２の頭頂部と前記背面外装パネル２との間に前記間隔Ｌｂと同じかそれ以上の間隔Ｌｂ’を設ける必要がある。
また，図６に示される構造に対し，図５に示される構造と同様に，前記カバー側の壁２１が追加された構造，又は前記カバー側の壁２１及び前記スピーカ側の壁１２の両方が追加された構造も考えられる。
【００２４】
ところで，前記テレビジョン受像機Ｘ４においては，前記テレビジョン受像機Ｘ１〜Ｘ３のように，前記背面閉状態において，前記スピーカ側の壁１２と前記カバー側の壁２１との間の隙間を視認できない。
そこで，図７に示されるように，前記スピーカ側の壁１２の内側の面に，これに対向する前記カバー側の壁２１の外側の面との間の隙間を確保する防振材（ゴム等の弾性体）からなるスペーサ６が予め設けられることが考えられる。これにより，前記スピーカ側の壁１２と前記カバー側の壁２１とが接触する状態で前記背面外装パネル２が取り付けられてしまうという組み立てミスを防止できる。
【００２５】
以上に示した各実施形態は，テレビジョン受像機に関するものであるが，本発明は，スピーカが内蔵されるその他の音響装置（例えば，ＣＤ再生装置やポータブルＤＶＤプレイヤー等）への適用も可能である。
また，本発明は，前記スピーカ１が音響装置の前面側や側面側に向けて配置（保持）される場合にも適用可能である。
また，前述した実施形態では，前記スピーカ側の壁１２は円筒状（断面が円形）であるが，前記コーン部１ａの周囲を囲む一連の壁であれば，その断面が矩形その他の形状である筒状であってもかまわない。そのことは，前記カバー側の壁２１についても同様である。
【産業上の利用可能性】
【００２６】
本発明は，音響装置への利用が可能である。
【図面の簡単な説明】
【００２７】
【図１】本発明の第１実施形態に係る音響装置の一例であるテレビジョン受像機Ｘ１におけるスピーカ部分の側断面図及び背面図。
【図２】背面外装パネルが取り付けられる前のテレビジョン受像機Ｘ１におけるスピーカ部分の側断面図及びスピーカ正面図。
【図３】テレビジョン受像機Ｘ１における回り込みノイズ音減衰構造を表す断面図。
【図４】本発明の第２実施形態に係る音響装置の一例であるテレビジョン受像機Ｘ２における回り込みノイズ音減衰構造を表す断面図。
【図５】本発明の第３実施形態に係る音響装置の一例であるテレビジョン受像機Ｘ３における回り込みノイズ音減衰構造を表す断面図。
【図６】本発明の第４実施形態に係る音響装置の一例であるテレビジョン受像機Ｘ４における回り込みノイズ音減衰構造を表す断面図。
【図７】テレビジョン受像機Ｘ４におけるスピーカ正面図。
【図８】スピーカボックスが内蔵された従来のテレビジョン受像機の一部の概略断面図。
【図９】スピーカボックス構造が採用されない従来のテレビジョン受像機の一部の概略断面図。
【符号の説明】
【００２８】
Ｘ１〜Ｘ４：テレビジョン受像機
１  ：スピーカ
１ａ：コーン部
２  ：背面外装パネル（外装カバー部材）
３  ：前面外装パネル
４  ：スピーカ支持部
５  ：防振材
６  ：スペーサ
１１：枠部材
１２：スピーカ側の壁
２１：カバー側の壁
２ａ：開口部
【図１】
0004901771.tif 000002
【図２】
0004901771.tif 000003
【図３】
0004901771.tif 000004
【図４】
0004901771.tif 000005
【図５】
0004901771.tif 000006
【図６】
0004901771.tif 000007
【図７】
0004901771.tif 000008
【図８】
0004901771.tif 000009
【図９】
0004901771.tif 000010